(57)【要約】【課題】時間の経過と共に変動する陰影を投影面に投写でき、漏電やショートが起きる心配がなくて設置自由度も高い光学フィルタ及び発光装置を提供すること。【解決手段】発光装置１が、ＬＥＤ３２と、形状変形材料と、形状変形材料を変形させる外力発生機構２０と、を備えるようにする。形状変形材料は、外力によって形状を変形し得る液体でない材料である。形状変形材料は、周波数１Ｈｚにおける貯蔵弾性率が１〜４００００Ｐａであるゲルを含むと好ましく、ゲルとして、例えば、シリコンゲル４３を好適に採用できる。【選択図】図１
2020161392.tif 000002
【特許請求の範囲】
【請求項１】
外力によって形状を変形し得る液体でない形状変形材料を備える、光学フィルタ。
【請求項２】
前記形状変形材料が、溶媒に不溶の３次元網目構造を持つゲルを含む、請求項１に記載の光学フィルタ。
【請求項３】
前記形状変形材料が、３次元網目構造、及びその３次元網目構造内に位置する溶媒を有するゲルを含む、請求項1又は２に記載の光学フィルタ。
【請求項４】
前記形状変形材料が、分散質が架橋された架橋材料を有するゲルを含む、請求項１乃至３のいずれか１つに記載の光学フィルタ。
【請求項５】
前記形状変形材料が、周波数１Ｈｚにおける貯蔵弾性率が１〜４００００Ｐａであるゲルを含む、請求項1乃至４のいずれか1つに記載の光学フィルタ。
【請求項６】
前記形状変形材料が、分散した状態となっている磁性体材料を含む、請求項１乃至５のいずれか１つに記載の光学フィルタ。
【請求項７】
一次光を放つ光源と、
請求項１乃至５のいずれか一つに記載の光学フィルタと、
外力を発生させる外力発生機構と、を備え、
前記一次光は、前記形状変形材料を照らし、
前記光学フィルタの前記形状変形材料による前記一次光の反射光、前記形状変形材料を透過する前記一次光の透過光、および、前記一次光による前記形状変形材料の陰影から選択される少なくとも一つは、前記形状変形材料が前記外力を受けて変形することによって揺らぐことを特徴とする発光装置。
【請求項８】
前記形状変形材料が、分散した状態となっている磁性体材料を有し、
前記外力発生機構が、前記磁性体材料に力を付与する変動磁場を生成する磁場生成機構を含む、請求項７に記載の発光装置。
【発明の詳細な説明】
【技術分野】
【０００１】
本開示は、光学フィルタ、及び発光装置に関する。
【背景技術】
【０００２】
従来、発光装置としては、特許文献１に記載されているものがある。この発光装置は、光源、平面容器状の溶液収容ケース、溶液収容ケースに充填され、透明又は透過着色した溶液、及び溶液収容ケース内の溶液の液面を変動させる液面変動機能を備える。この発光装置では、光源からの光が溶液収容ケース及び溶液を透過するようになっている。この発光装置は、光源からの光が時間の経過と共に変動する溶液の液面で屈折することで時間の経過と共に変動する波紋柄を投影面に投写するようになっている。
【先行技術文献】
【特許文献】
【０００３】
【特許文献１】特開２００２−２６０４１９号公報
【発明の概要】
【発明が解決しようとする課題】
【０００４】
上記発光装置内で溶液漏れが生じると、漏電やショートが起きる虞があり、感電や発火や電力損失の原因となる。更には、発光装置では、溶液がこぼれないようにする必要があり、設置方向に制限がある。
【０００５】
そこで、本開示の目的は、時間の経過と共に変動する陰影を投影面に投写でき、漏電やショートが起きる心配もなくて設置自由度も高い光学フィルタ及び発光装置を提供することにある。
【課題を解決するための手段】
【０００６】
上記課題を解決するため、本開示に係る光学フィルタは、外力によって形状を変形し得る液体でない形状変形材料を備える。
【０００７】
なお、この光学フィルタは、光源と、形状変形材料に力を付与する外力発生機構とを備える発光装置に設置される。そして、形状変形材料が外力発生機構で生成された力で時間の経過と共に継続的に変形している状態で、形状変形材料が、光源からの光の少なくとも一部を反射すること、光源からの光の少なくとも一部を吸収すること、及び光源からの光の少なくとも一部を透過することのうちの少なくとも１つを行う。
【０００８】
また、上記形状変形材料には、例えば、３次元架橋構造を有する分子成分や、油脂成分が含まれる。また、上記形状変形材料には、全てのゲルが含まれ、より詳しくは、分散質が共有結合で架橋された架橋材料を含む全ての化学ゲルが含まれ、分散質がイオン結合や分子間力等の非共有結合で架橋された架橋材料を含む全ての物理ゲルも含まれる。
【０００９】
また、本開示に係る光学フィルタは、周波数１Ｈｚにおける貯蔵弾性率が１〜４００００Ｐａであるゲルを含んでもよい。ここで、水等の液体は、周波数１Ｈｚにおける貯蔵弾性率が１Ｐａよりも小さい。また、変形しにくくて堅い固体は、周波数１Ｈｚにおける貯蔵弾性率が４００００Ｐａよりも大きくなり易い。これに対し、高い粘性を有しているが、変形が容易な材料は、周波数１Ｈｚにおける貯蔵弾性率が１〜４００００Ｐａの範囲内の値となり易い。
【発明の効果】
【００１０】
本開示に係る光学フィルタは、外力によって形状を変形し得る液体でない形状変形材料を備える。したがって、形状変形材料が、水を含む溶液と異なり液漏れしたり飛散することがない。更には、外力、例えば、物を形状変形材料に接触させたときに形状変形材料に付与される力や磁力のような非接触な力を、形状変形材料に加えることで、形状変形材料を変形させることもできる。よって、形状変形材料を変形させながら光源からの光を形状変形材料に到達させることで、漏電やショートが起きることがなくて設置自由度が高いにも拘わらず、時間の経過と共に変動する陰影を投影面に投写することができる。
【図面の簡単な説明】
【００１１】
【図１】第１実施形態の発光装置の概略構成を示す模式平面図である。
【図２】上記発光装置が備えるゲルフィルタの斜視図である。
【図３】上記発光装置が投影面に陰影を投写する機構を説明する模式図である。
【図４】上記発光装置からの光によって投影面に投写された水面陰影（動画の一場面）を示す図である。
【図５】第２実施形態の発光装置の概略構成を示す模式平面図である。
【図６】第２実施形態の発光装置のハウジングに含まれる筒状部に固定されたゲルフィルタ及び磁場生成機構を示す模式正面図である。
【図７】第２実施形態の発光装置が投影面に陰影を投影する機構を説明する模式図である。
【図８】第２実施形態の発光装置からの光によって投影面に投写された木漏れ日の影絵（動画の一場面）を示す図である。
【発明を実施するための形態】
【００１２】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。また、以下で説明される構成要素のうち、最上位概念を示す独立請求項に記載されていない構成要素については、任意の構成要素であり、必須の構成要素ではない。
【００１３】
（第１実施形態）
図１は、第１実施形態の発光装置１の概略構成を示す模式平面図である。図１に示すように、発光装置１は、ハウジング（ケース）２、光源装置３、光学フィルタの一例としてのゲルフィルタ４、外力発生機構の一例としての磁場生成機構６、及び結像レンズ７を備える。ハウジング２は、箱形状を有し、樹脂材料等で形成される。ハウジング２は、内部室を画定する。光源装置３、ゲルフィルタ４、及び磁場生成機構６は、その内部室に配置され、ハウジング２に固定される。また、結像レンズ７は、ハウジング２に取り付けられる。なお、光源装置３、ゲルフィルタ４、磁場生成機構６、結像レンズ７の一部は、ハウジング２内に配置されて、実際には視認できないため、点線で示すのが正しいが、構成を明確に示すため、図１では、これらの構成を実線で示している。
【００１４】
光源装置３は、基板３１、光源の一例としてのＬＥＤ（Light Emitting Diode）３２、及びヒートシンク３３を含む。ＬＥＤ３２は、基板３１の表面に実装され、ヒートシンク３３は、基板３１の裏面にねじ止めやカシメ固定で取り付けられる。基板３１は、例えば、プリント基板で構成される。基板３１は、如何なる硬さを有してもよく、リジット基板、フレキシブル基板、及びリジットフレキシブル基板のうちのいずれの基板で構成されてもよい。また、基板３１は、如何なる組成を有してもよく、例えば、紙フェノール基板、紙エポキシ基板、ガラスコンポジット基板、ガラスエポキシ基板、テフロン（登録商標）基板、アルミナ（セラミックス）基板、又はコンポジット基板等で構成される。
【００１５】
ＬＥＤ３２は、例えば、白色ＬＥＤで構成されるが、白色ＬＥＤ以外のＬＥＤで構成されてもよく、青色ＬＥＤ等で構成されてもよい。また、ＬＥＤ３２は、封止部材、例えば、透光性樹脂で封止されてもよい。光源装置３が白色光を出射し、ＬＥＤ３２が青色光を発光する青色ＬＥＤである場合、封止部材を、例えば、シリコーン樹脂に蛍光体粒子を分散させた蛍光体含有樹脂で構成し、蛍光体粒子を、ＹＡＧ系の黄色蛍光体で構成する。なお、光源は、ＬＥＤ以外で構成されてもよく、例えば、半導体レーザ素子や、有機ＥＬ（Electro Luminescence）素子若しくは無機ＥＬ素子等の固体発光素子等を含んでもよい。又は、光源は、白熱電球や蛍光灯で構成されてもよい。
【００１６】
ヒートシンク３３は、金属、例えば、熱伝導性に優れるアルミニウムやアルミニウム合金で構成される。ヒートシンク３３は、例えば、間隔をおいて基板３１の法線方向に延びる複数のフィン３３ａを有してもよい。ヒートシンク３３は、ＬＥＤ３２で生成される熱を光源装置３外に放熱し、ＬＥＤ３２が熱劣化するのを抑制する役割等を果たす。なお、ヒートシンクは、省略されてもよい。
【００１７】
図２は、ゲルフィルタ４の斜視図である。図２に示すように、ゲルフィルタ４は、ゲル保持部材４１、反射部４２（図１参照）、及び形状変形材料４６を有し、形状変形材料４６は、シリコンゲル４３、及び磁性体材料の一例としての粉末の磁性フィラー４５を含む。ゲル保持部材４１は、例えば、透明なアクリル板の中央部に平面視が略矩形の貫通孔４１ａを設けることで形成される。なお、ゲル保持部材４１を、アクリル板で構成する場合について説明したが、ゲル保持部材は、アクリル以外の如何なる樹脂材料、例えば、ポリカーボネートやポリエーテル・エーテル・ケトン等で構成されてもよく、金属材料や木材等で構成されてもよい。
【００１８】
反射部４２は、例えば、ＰＥＴフィルム等のフィルムと、可視光反射率が例えば８０％以上で高い鏡面アルミ材を含む。反射部４２は、上記アクリル板の厚さ方向の一方側端面に貫通孔４１ａの開口を塞ぐように上記フィルムを貼り付けた上で、そのフィルムの内側に鏡面アルミ材を固着することで形成される。ゲル保持部材４１に反射部４２を取り付けた状態で、ゲル保持部材４１及び反射部４２は、シリコンゲル４３を収容するゲル収容凹部４８を画定する。
【００１９】
シリコンゲル４３及び粉末の磁性フィラー４５は、例えば、次のようにゲル収容凹部４８内に配置される。詳しくは、先ず、ゲル収容凹部４８にシリコンゲル原液を流し込み、電気炉中において第１所定温度（例えば、１３０℃程度の温度）で第１所定時間（例えば、３０分程度の時間）加熱処理することで、シリコンゲル４３の一部を鏡面アルミ材上に配置する。
【００２０】
その後、磁性フィラー４５及び追加のシリコンゲル原液を配置する。詳しくは、磁性フィラー４５を、例えば、開口率が６０％以上となるようにピンセットでシリコンゲル４３の一部に配置する。その後、追加のシリコンゲル原液を、磁性フィラー４５が完全に埋没しない程度に流し込み、電気炉中において第２所定温度（例えば、９０℃程度の温度）で第２所定時間（例えば、１時間程度の時間）時間加熱処理する。ゲルフィルタ４は、例えば、このような手順で形成される。
【００２１】
シリコンゲルは、周波数１Ｈｚにおける貯蔵弾性率が１〜４００００Ｐａとなっている。なお、形状変形材料が、シリコンゲルを含む場合について説明したが、形状変形材料は、シリコンゲル以外の如何なるゲルを含んでもよく、例えば、ウレタンゲル等を含んでもよい。ここで、ゲルは、コロイド溶液（ゾル）が、流動性を失ってゼリー状となったものであってもよい。より詳しくは、ゲルは、高分子物質またはコロイド粒子がその相互作用により全体として網目構造をつくり、溶媒あるいは分散媒である液相を多量に含んだまま流動性を失った状態になっているものであってもよい。
【００２２】
また、ゲルは、分散媒が水のヒドロゲルでもよく、分散媒が有機溶媒のオルガノゲルでもよい。又は、ゲルは、分散媒としての水が乾燥除去されたキセロゲルでもよい。また、ゲルは、網目状になった分子と、その分子に取り込まれた溶媒とを有してもよい。また、ゲルは、溶媒に不溶の３次元網目構造を有してもよい。また、ゲルは、３次元網目構造、及びその３次元網目構造内に位置する溶媒を有してもよい。また、ゲルは、分散質が架橋された架橋材料を有してもよい。また、ゲルは、分散質が共有結合で架橋された架橋材料を含む全ての化学ゲルでもよく、分散質が分子間力等の非共有結合で架橋された架橋材料を含む物理ゲルでもよい。ここで、分子間力は、例えば、イオン間相互作用、水素結合、双極子相互作用、及びファンデスワールス力等を含む。また、形状変形材料がゲルを含む場合について説明したが、形状変形材料はゲルを含まなくてもよく、例えば、ゲルの代わりに油脂等のゲル以外の軟質材料を含んでもよい。
【００２３】
また、磁性フィラー４５としては、例えば、直径１ｍｍ〜３ｍｍのＭｎ系フェライトフィラーを好適に採用できるが、如何なる直径のＭｎ系フェライトフィラーを採用してもよい。又は、磁性フィラー４５として、ニッケル亜鉛系フェライトフィラーや、銅亜鉛系フェライトを用いてもよく、六方晶フェライトフィラーや、ガーネットフェライトフィラーを用いてもよい。磁性を示す材料であれば、如何なる材料でも、磁性体材料として好適に用いることができる。磁性フィラー４５としては、特に、軟磁性材料が好ましい。
【００２４】
次に、磁場生成機構６の構成について説明する。磁場生成機構６は、例えば、モータ６１、平板ステージ６２、及び複数の円板状の永久磁石６３を有する。平板ステージ６２は、例えば円板形状を有し、モータ６１の出力軸６１ａの先端側の端面に固定手段、例えば、溶接、接着剤等で固定される。また、複数の永久磁石６３は、平板ステージ６２のモータ６１側とは反対側の端面に接着剤や粘着テープで固定される。複数の永久磁石６３は、例えば、出力軸６１ａの中心軸を取り囲むように周方向に等間隔に配置される。
【００２５】
以上の各部位の構成において、図１に示すように、ＬＥＤ３２から出射された矢印Ａで示す出射光が粉末の磁性フィラー４５が分散配置されたシリコンゲル４３に入射するように、光源装置３及びゲルフィルタ４をハウジング２に配置する。また、シリコンゲル４３、磁性フィラー４５、及び反射部４２のうちの少なくとも１つで反射した反射光が結像レンズ７に入射するように、結像レンズ７をハウジング２に固定する。更には、平板ステージ６２の磁石配置面６２ａが反射部４２と略平行になると共に、出力軸６１ａにおける中心軸の延長線がゲル保持部材４１の貫通孔４１ａの中心軸と略一致するように、モータ６１をハウジング２に固定する。
【００２６】
以上の構成において、図３、すなわち、発光装置１が投影面に陰影を投写する機構を説明する模式図に示すように、モータ６１を駆動して出力軸６１ａを回動させることで、平板ステージ６２に固定された複数の永久磁石６３を回転させて回転磁場を生成する。そして、回転磁場が生成されている状態でＬＥＤ３２からシリコンゲル４３に向けて光を出射する。該回転磁場の生成によってシリコンゲル４３内の磁性フィラー４５に力を付与できるので、磁性フィラー４５をシリコンゲル４３内で移動させることができ、これにより、時間の経過と共にシリコンゲル４３の形状を継続的に変形させることができる。したがって、シリコンゲル４３の形状が継続的に変形している状態で、ＬＥＤ３２からの光がシリコンゲル４３に入射する。よって、ＬＥＤ３２から出射された光の一部は、時間と共に変形するシリコンゲル４３の表面で反射したり、時間と共に移動する磁性フィラー４５に衝突して散乱した後に、結像レンズ７に入射する。その結果、図３のＢ、及び図４に示すように、結像レンズ７から出射した光を投影面に投写することで、時間の経過と共に変動する水面陰影（水面をプールの底から見たときの動画）を投影面に投写することができる。
【００２７】
以上、ゲルフィルタ（光学フィルタ）４は、外力によって形状を変形し得る形状変形材料４６を備える。また、形状変形材料４６は、液体でない。また、ゲルフィルタ４は、ＬＥＤ（光源）３２を含む発光装置１に設置される。また、形状変形材料４６は、磁場生成機構６によって時間の経過と共に継続的に変形している状態でＬＥＤ３２からの光の少なくとも一部を反射する。
【００２８】
したがって、ＬＥＤ３２からの光を、時間の経過と共に変動する形状変形材料４６の表面で反射させることができるので、形状変形材料４６の表面で反射した光を投影面に投影することで時間の経過と共に変動する陰影動画を投影面に投影でき、例えば、第１実施形態のように変動する水面陰影を投影面に投写できる。
【００２９】
また、ＬＥＤ３２からの光の一部を反射させる形状変形材料４６が液体でないので、液体のように漏れたり飛散することもなく、設置方向が制限されることもない。よって、発光装置１を、漏電やショートが起きることがない安全なものにでき、設置自由度も高くできる。
【００３０】
更には、ゲルフィルタ４は、安価に製造でき、磁場生成機構６も比較的安価に製造できる。したがって、プロジェクタ等の高価な装置を使用する場合との比較で、時間の経過と共に変動する陰影動画を格段に安価に投影面に投影できる。
【００３１】
また、形状変形材料４６が、溶媒に不溶の３次元網目構造を持つゲルを含んでもよく、形状変形材料４６が、３次元網目構造、及びその３次元網目構造内に位置する溶媒を有するゲルを含んでもよい。また、形状変形材料４６が、分散質が架橋された架橋材料を有するゲルを含んでもよい。
【００３２】
これらの構成によれば、光学フィルタを簡単安価に作製できる。
【００３３】
また、形状変形材料４６は、周波数１Ｈｚにおける貯蔵弾性率が１〜４００００Ｐａであるゲルを含んでもよい。
【００３４】
本構成によれば、形状変形材料４６が高い粘性を有して飛散や漏れを生じることがなくて、形状変形材料４６の変形も容易に実行できる。
【００３５】
また、形状変形材料４６が、分散した状態となっている磁性フィラー（磁性体材料）４５を含んでもよい。また、外力発生機構が、磁性フィラー４５に力を付与する変動磁場を生成する磁場生成機構６を含んでもよい。
【００３６】
本構成によれば、磁場生成機構６で磁性フィラー４５に非接触な力を付与できて、非接触な力を間接的にシリコンゲル４３に付与でき、その非接触な力でシリコンゲル４３を変形させることができる。したがって、動く物体、例えば、モータの回転軸等を形状変形材料に直接接触させて形状変形材料を変形させる場合との比較において、外力発生機構や形状変形材料の劣化を抑制でき、発光装置１の寿命を長くすることができる。なお、第１実施形態では、永久磁石６３を用いて変動磁場を生成する磁場生成機構６を用いたが、電磁石を用いて変動磁場を生成する磁場生成機構を用いてもよい。
【００３７】
（第２実施形態）
第１実施形態では、光源からの光で光学フィルタの形状変形材料で反射した光を用いて陰影を投影面に投影する場合について説明した。より詳しくは、発光装置１が、一次光を放つＬＥＤ３２と、ゲルフィルタ４と、外力を発生させる磁場生成機構６とを備える場合について説明した。そして、上記一次光が、形状変形材料４６を照らし、形状変形材料４６による該一次光の反射光が、形状変形材料５６が上記外力を受けて変形することで揺らぐ場合について説明した。しかし、光源からの光の一部を光学フィルタで反射したり吸収したりすることで、光学フィルタに到達しなかった光で、投影面に陰影を投写してもよい。換言すれば、光源から出射された一次光による形状変形材料の陰影が、外力発生機構によって発生させられた外力を受けた形状変形材料の変形によって揺らいでもよい。第２実施形態では、そのような場合について説明する。なお、第２実施形態では、第１実施形態と同一の構成に第１実施形態と同一の参照番号を付して説明を省略する。また、第２実施形態では、第１実施形態と同様の作用効果及び変形例についての説明を省略する。
【００３８】
図５は、第２実施形態の発光装置１０１の概略構成を示す模式平面図である。また、図６は、ハウジング１０２に含まれる筒状部１２２に固定されたゲルフィルタ１０４、及び外力発生機構の一例としての磁場生成機構１０６を示す模式正面図である。
【００３９】
図５に示すように、発光装置１０１は、ハウジング（ケース）１０２、光源装置３、光学フィルタの一例としてのゲルフィルタ１０４、磁場生成機構１０６、及び結像レンズ７を備える。ハウジング１０２は、箱形状を有し、樹脂材料等で形成される。ハウジング１０２は、内部室を画定する。光源装置３、ゲルフィルタ１０４、及び磁場生成機構１０６は、その内部室に配置され、ハウジング１０２に固定される。また、結像レンズ７は、ハウジング１０２に取り付けられる。なお、第２実施形態でも、第１実施形態と同様に、光源装置３、ゲルフィルタ１０４、磁場生成機構１０６、結像レンズ７の一部は、内部室に配置されて、実際には視認できないため、点線で示すのが正しいが、構成を明確に示すため、図５では、これらの構成を実線で示している。
【００４０】
図５及び図６に示すように、ハウジング１０２は、筒状部１２２を有する。また、図５に示すように、光源装置３は、ＬＥＤ３２から出射される出射光の光軸が、筒状部１２２の中心軸上に位置するようにハウジング１０２に固定され、結像レンズ７は、その中心軸が上記光軸上に位置するようにハウジング１０２に固定される。
【００４１】
図６を参照して、ゲルフィルタ１０４は、例えば、次のように形成される。詳しくは、シリコンゲル原液にＭｎ系フェライトフィラーを所定重量比（例えば、重量比５：２）で混錬し、鋳型に流し込み、電気炉中において所定温度（例えば、１２０℃）で所定時間（例えば、１時間）加熱処理する。その後、その手順で作成されたゲルを、鋳型から取り出し、カッターナイフで二股に分岐した木枝状に形作る。そして、ジオラマ用途などで用いられる葉の紙模型を、木枝状のゲル１０４ａに多数適宜取付け、更に、各枝の先端部に磁石１４５を取り付け、ゲルフィルタ１０４を形成する。木枝状のゲル１０４ａ、複数の磁石１４５、及び複数の葉の紙模型は、形状変形材料１４６に含まれる。
【００４２】
また、磁場生成機構１０６は、２つの第１及び第２コイル１０６ａ,１０６ｂを備える。また、各コイル１０６ａ,１０６ｂは、円柱状の鉄心に絶縁被膜で覆った導線を単位長さ当たり所定回数巻回することで形成される。また、図６に示すように、光軸方向から見たとき、多数の葉の紙模型の大部分が筒状部１２２の貫通孔１２２ａに重なるように、木枝状のゲル１０４ａの根元側の端部を筒状部１２２の円環状の端面１２２ｂに固定する。そのような固定には、例えば、円弧状部１５０ａと円弧状部１５０ａの各先端部につながる平板部１５０ｂを有する一体の金具１５０と、各平板部１５０ｂに締め込まれるねじ部材１６０を用いることができる。
【００４３】
また、各コイル１０６ａ,１０６ｂは、延在方向の片側が、多数の葉の紙模型に対向するように円環状の端面１２２ｂに固定される。この固定は、例えば、ゲルフィルタ１０４の円環状の端面１２２ｂへの固定と同様の手法で実行できる。２つのコイル１０６ａ,１０６ｂは、円環状の端面１２２ｂの周方向に間隔をおいて配置される。なお、図６は、光軸方向の結像レンズ７側から筒状部１２２を見たときの正面図であるが、筒状部１２２には、円環状の端面１２２ｂと貫通孔１２２ａとの間に、光軸方向の結像レンズ７側に行くにしたがって内径が大きくなるテーパ面１２２ｃが設けられている。このテーパ面１２２ｃは、ＬＥＤ３２からの光を広範囲な領域に広げる役割等を有する。
【００４４】
以上の構成において、図７、すなわち、発光装置１０１が投影面に陰影を投影する機構を説明する模式図に示すように、各コイル１０６ａ,１０６ｂにＡＣ電流（交流電流）を流すことで、各コイル１０６ａ,１０６ｂの周辺に右ねじの法則に基づいてＮ極とＳ極が経時的に反転する変動磁場を生成する。そして、変動磁場が生成されている状態でＬＥＤ３２からゲルフィルタ１０４に向けて光を出射する。該変動磁場の生成によってゲルフィルタ１０４に取り付けられた複数の磁石１４５に力を付与できるので、磁石１４５を移動させることができ、これに追随するように、ゲルフィルタ１０４に含まれる木枝状のゲル１０４ａを時間の経過と共に揺動させることができる。
【００４５】
したがって、木枝状のゲル１０４ａが継続的に揺動している状態で、ＬＥＤ３２からの光が多数の葉付きの木枝状のゲル１０４ａの方に出射されるので、時間の経過と共に変動すると共にゲルフィルタ１０４で反射又は吸収されなかった光を、結像レンズ７に入射させることができる。よって、図７のＣ、及び図８に示すように、結像レンズ７から出射した光を投影面に投写することで、時間の経過と共に変動する葉付きの枝の木漏れ日の陰影（影絵）を投影面に投写することができる。
【００４６】
更には、例えば、商用電源からの交流電力を分岐すると共に適宜変圧して、第１コイル１０６ａと第２コイル１０６ｂに互いに異なる大きさの交流電力を印加することで、木枝状のゲル１０４ａの振幅が経時的に変化する動きを実現でき、木枝が、風で大きく振れたり小さく振れたりする動きを再現できる。
【００４７】
なお、第１実施形態では、ＬＥＤ３２からの光をシリコンゲル４３で主に反射させる場合について説明し、第２実施形態では、ＬＥＤ３２からの光をシリコンゲルで反射させると共に吸収する場合について説明した。しかし、光源から出射された光で光学フィルタの形状変形材料を透過した光を投影面に投写してもよい。
【００４８】
また、第１及び第２実施形態では、外力発生機構２０,１２０（図１,図５参照）が、磁性体材料（磁性フィラー４５、磁石１４５）に力を付与する変動磁場を生成する磁場生成機構６,１０６である場合について説明した。しかし、外力発生機構は、磁力を用いずに形状変形材料に力を付与する機構を含んでもよく、例えば、動く物体を形状変形材料に直接接触させることで形状変形材料を時間の経過と共に継続して変形させる機構を含んでもよい。このような機構は、例えば、モータで簡単安価に構成されることができ、モータの回転軸を形状変形材料に接触させることで、形状変形材料を変形させることができる。
【００４９】
なお、上述のように、形状変形材料は、周波数１Ｈｚにおける貯蔵弾性率が１〜４００００Ｐａであるゲルを含むと好ましい。しかし、形状変形材料が、周波数１Ｈｚにおける貯蔵弾性率が１００〜２００００Ｐａであるゲルを含むと、形状変形材料の移動性を適度に規制できて形状変形材料の取り扱い性を向上できると共に、形状変形材料をより変形させ易くなって更に好ましい。また、形状変形材料が、周波数１Ｈｚにおける貯蔵弾性率が２００〜１００００Ｐａであるゲルを含むと、形状変形材料の移動性を更に適正に規制できて形状変形材料の取り扱い性を更に向上できると共に、形状変形材料を更に変形させ易くなって最も好ましい。また、本開示の発光装置が、照明装置であってもよいことは言うまでもない。
【符号の説明】
【００５０】
１,１０１  発光装置、  ４,１０４  ゲルフィルタ、  ６,１０６  磁場生成機構、  ２０,１２０  外力発生機構、  ４３  シリコンゲル、  ４５  磁性フィラー、  ４６,１４６  形状変形材料、  １０４ａ  木枝状のゲル、  １４５  磁石。
【図１】
2020161392.tif 000003
【図２】
2020161392.tif 000004
【図３】
2020161392.tif 000005
【図４】
2020161392.tif 000006
【図５】
2020161392.tif 000007
【図６】
2020161392.tif 000008
【図７】
2020161392.tif 000009
【図８】
2020161392.tif 000010